(57)【要約】      （修正有）【課題】プリント対象ファイルを添付したメールを画像形成装置に送信してプリント処理を行う場合に、ユーザの使い勝手を向上させるとともに、記憶手段の容量増加を抑制することができる画像形成装置及びプログラムを提供する。【解決手段】プリント対象ファイルが添付されたメールを受信した場合に、メール解析部２０４が、受信した電子メールに添付されたプリント対象ファイルのファイル名及び送信元アドレスを抽出し、プリント対象ファイル名格納部２２２及びアドレス格納部２２３にそれぞれ格納する。アドレスが操作部１１を介して指定されると、抽出されたファイル名の一覧をディスプレイ部１２に表示する。ファイル名の選択入力を受け付けた場合に、プリント対象ファイル取得部２０７がメールからプリント対象ファイルを取得し、プリント制御部２０８がプリント処理を実行する。【選択図】図４
2007111922.tif 000002
【特許請求の範囲】
【請求項１】
表示手段と、
電子メールを受信する受信手段と、
受信した電子メールに添付されたプリント対象ファイルのファイル名を抽出する抽出手段と、
抽出されたファイル名の一覧を前記表示手段に表示させる一覧表示制御手段と、
ファイル名の選択入力を受け付ける選択入力受付手段と、
前記選択入力受付手段が選択入力を受け付けた場合に、選択されたファイル名のプリント対象ファイルが添付されたメールからプリント対象ファイルを取得するファイル取得手段と、
取得したプリント対象ファイルをプリントするプリント制御手段とを備える
ことを特徴とする画像形成装置。
【請求項２】
前記画像形成装置は、さらに、
メールアドレスの入力を受け付けるアドレス指定入力受付手段を備え、
前記一覧表示制御手段は、
入力されたメールアドレスから送信された電子メールについて、前記抽出手段により抽出されたファイル名の一覧を表示させる
ことを特徴とする請求項１に記載の画像形成装置。
【請求項３】
前記アドレス指定入力手段は、
電子メールの送信元アドレスを、前記表示手段に一覧表示させるアドレス一覧表示制御手段と、
一覧表示されたアドレスからの選択入力を受け付けるアドレス選択入力受付手段とを備える
ことを特徴とする請求項２に記載の画像形成装置。
【請求項４】
前記アドレス指定入力受付手段は、
入力されたアドレスが携帯電話機のメールアドレスであるか否かを判別する判別手段と、
携帯電話機のメールアドレスでない場合にメールアドレスの入力を拒否する拒否手段とを含む
ことを特徴とする請求項２に記載の画像形成装置。
【請求項５】
前記アドレス指定入力受付手段は、
携帯電話機から、当該携帯電話機のメールアドレスを取得するアドレス取得手段を備える
ことを特徴とする請求項２に記載の画像形成装置。
【請求項６】
前記アドレス指定入力受付手段は、
携帯電話機の電話番号とメールアドレスとの対応関係を保持する対応関係保持手段と、
保持された電話番号の携帯電話機から発信者番号通知での電話の着信があった場合に、対応するメールアドレスを取得するアドレス取得手段とを備える
ことを特徴とする請求項２に記載の画像形成装置。
【請求項７】
電子メールを受信する受信手段と、
メールアドレスの入力を受け付けるアドレス指定入力受付手段と、
前記アドレス指定入力受付手段が入力を受け付けた場合に、入力されたメールアドレスから送信されたメールに添付されたプリント対象ファイルを取得するファイル取得手段と、
取得したプリント対象ファイルをプリントするプリント制御手段とを備える
ことを特徴とする画像形成装置。
【請求項８】
表示手段と、プロセッサとを備える装置にインストールされるプログラムにおいて、
受信した複数の電子メールから、それぞれに添付されたファイルのファイル名を取得するファイル名取得処理と、
取得したファイル名を前記表示手段に一覧表示させる一覧表示制御処理と、
ファイルの選択入力を受け付ける選択入力受付処理と、
ファイルの選択入力を受け付けた場合に、選択されたファイルが添付された電子メールから、選択されたファイルを抽出する添付ファイル抽出処理とを前記プロセッサに実行させる
ことを特徴とするプログラム。
【請求項９】
プロセッサを備える装置にインストールされるプログラムにおいて、
メールアドレスの入力を受け付けるアドレス指定入力受付処理と、
メールアドレスの入力を受け付けた場合に、入力されたメールアドレスから受信した複数の電子メールから、それぞれに添付されたファイルを抽出する添付ファイル抽出処理とを前記プロセッサに実行させる
ことを特徴とするプログラム。
【発明の詳細な説明】
【技術分野】
【０００１】
本発明は、画像形成装置及びプログラムに関し、特に電子メールに添付されたファイルをプリントする技術に関する。
【背景技術】
【０００２】
近年、カメラ付きの携帯電話機が広く普及し、携帯電話機で撮影した画像ファイルを電子メールに添付して送信することが極めて一般的に行われるようになっている。また最近では、撮影により得られた画像ファイルだけでなく、ワードプロセッサや表計算などのアプリケーションソフトウェアで作成、編集されたファイルを変換した上で電子メール（以下、単に「メール」ともいう。）に添付し、携帯電話機に転送することも可能となっている（非特許文献１参照）。
【０００３】
一方、ネットワークを介してメールを受信する機能を備える画像形成装置も広く普及しており、携帯電話機のユーザは、画像形成装置に付与されたメールアドレスに対して、上記の画像ファイルや、アプリケーションにより作成等されたファイルを添付したメールを送信することも可能である。以下、画像ファイルやアプリケーションにより生成等されたファイル（携帯用に変換したファイルも含む。）など、画像形成装置でのプリントの対象となるファイルを総称してプリント対象ファイルという。
【０００４】
【非特許文献１】津田  啓夢、“シャープ、ＷｏｒｄやＰｏｗｅｒＰｏｉｎｔデータを携帯用に変換するシステム”、[online]、２００３年１２月１０日、ケータイWatch、[平成１７年７月４日検索]、インターネット <URL：http://k-tai.impress.co.jp/cda/article/news_toppage/16784.html>
【発明の開示】
【発明が解決しようとする課題】
【０００５】
最近、画像形成装置がスーパーマーケット、コンビニエンス・ストアなどに設置されることが多く、旅先などで気軽に利用できるプリンタとしての用途も考えられているところである。スーパーマーケット等に限らず、例えば、設置された画像形成装置に付与されたメールアドレスに携帯電話機からメールを送信し、メールに添付されたプリント対象ファイルのプリント処理を行うことができると便利である。しかしながら、プリント対象ファイルを添付したメールの数が増加した場合、画像形成装置の側で、どのファイルをプリントするかの選択が煩雑になる他、メールとプリント対象ファイルとを個別に格納するとハードディスクドライブ等の記憶手段の容量が大量に必要になるという問題がある。
【０００６】
本発明は係る問題点に鑑みてなされたものであって、プリント対象ファイルを添付したメールを画像形成装置に送信してプリント処理を行う場合に、ユーザの使い勝手を向上させるとともに、記憶手段の容量増加を抑制することができる画像形成装置及びプログラムを提供することを目的としている。
【課題を解決するための手段】
【０００７】
上記の問題点を解決するために、本発明に係る第１の画像形成装置は、表示手段と、電子メールを受信する受信手段と、受信した電子メールに添付されたプリント対象ファイルのファイル名を抽出する抽出手段と、抽出されたファイル名の一覧を前記表示手段に表示させる一覧表示制御手段と、ファイル名の選択入力を受け付ける選択入力受付手段と、前記選択入力受付手段が選択入力を受け付けた場合に、選択されたファイル名のプリント対象ファイルが添付されたメールからプリント対象ファイルを取得するファイル取得手段と、取得したプリント対象ファイルをプリントするプリント制御手段とを備えることを特徴としている。
【０００８】
本発明の構成では、ファイル名の一覧を表示するようにしているので、プリント対象ファイルの選択が容易であり、ユーザの使い勝手を向上することができるとともに、ファイル名が選択されるまでメールとプリント対象ファイルとを分離しないため、ハードディスク等の記憶手段の容量増大を抑制することが可能となる。
【０００９】
前記画像形成装置は、さらに、メールアドレスの入力を受け付けるアドレス指定入力受付手段を備え、前記一覧表示制御手段は、入力されたメールアドレスから送信された電子メールについて、前記抽出手段により抽出されたファイル名の一覧を表示させる構成とすれば、特にメールの数が増加した際に、さらに選択が容易となる。
【００１０】
前記アドレス指定入力手段は、電子メールの送信元アドレスを、前記表示手段に一覧表示させるアドレス一覧表示制御手段と、一覧表示されたアドレスからの選択入力を受け付けるアドレス選択入力受付手段とを備える構成とすれば、送信元アドレスの選択に便宜である。
【００１１】
前記アドレス指定入力受付手段は、入力されたアドレスが携帯電話機のメールアドレスであるか否かを判別する判別手段と、携帯電話機のメールアドレスでない場合にメールアドレスの入力を拒否する拒否手段とを含む構成としてもよい。携帯電話機のメールアドレスであるか否かは、例えばドメイン名により判別することができる。
【００１２】
前記アドレス指定入力受付手段は、携帯電話機から、当該携帯電話機のメールアドレスを取得するアドレス取得手段を備える構成とすることもできる。携帯電話機からのメールアドレスの取得は、例えば、ＵＳＢケーブルを接続して取得したり、赤外線通信により取得することができる。
【００１３】
前記アドレス指定入力受付手段は、携帯電話機の電話番号とメールアドレスとの対応関係を保持する対応関係保持手段と、保持された電話番号の携帯電話機から発信者番号通知での電話の着信があった場合に、対応するメールアドレスを取得するアドレス取得手段とを備える構成とすれば、携帯電話機から画像形成装置に対して発信者番号通知での電話の着信があった場合にアドレスが入力された場合と同様の処理を実行することが可能となる。
【００１４】
本発明に係る第２の画像形成装置は、電子メールを受信する受信手段と、メールアドレスの入力を受け付けるアドレス指定入力受付手段と、前記アドレス指定入力受付手段が入力を受け付けた場合に、入力されたメールアドレスから送信されたメールに添付されたプリント対象ファイルを取得するファイル取得手段と、取得したプリント対象ファイルをプリントするプリント制御手段とを備えることを特徴としている。
【００１５】
この構成では、送信元メールアドレスを入力することで、当該送信元アドレスから送信されたメールに添付されたプリント対象ファイルを一時にプリントすることができるため、ファイル名選択の煩雑さが低減されユーザの使い勝手が向上する。
【００１６】
本発明に係る第１のプログラムは、表示手段と、プロセッサとを備える装置にインストールされるプログラムにおいて、受信した複数の電子メールから、それぞれに添付されたファイルのファイル名を取得するファイル名取得処理と、取得したファイル名を前記表示手段に一覧表示させる一覧表示制御処理と、ファイルの選択入力を受け付ける選択入力受付処理と、ファイルの選択入力を受け付けた場合に、選択されたファイルが添付された電子メールから、選択されたファイルを抽出する添付ファイル抽出処理とを前記プロセッサに実行させることを特徴としている。
【００１７】
本発明に係る第２のプログラムは、プロセッサを備える装置にインストールされるプログラムにおいて、メールアドレスの入力を受け付けるアドレス指定入力受付処理と、メールアドレスの入力を受け付けた場合に、入力されたメールアドレスから受信した複数の電子メールから、それぞれに添付されたファイルを抽出する添付ファイル抽出処理とを前記プロセッサに実行させることを特徴としている。
【００１８】
本発明に係るプログラムは、各種記録媒体に記録された状態で市場に流通するほか、インターネット等の各種ネットワークを介して市場に供給される場合も有る。
【発明の効果】
【００１９】
本発明に係る画像形成装置等によると、ユーザの使い勝手を向上させるとともに、記憶手段の容量増加を抑制することができるという効果を奏する。
【発明を実施するための最良の形態】
【００２０】
以下、本発明の実施の形態について、図面を参照しながら説明する。
（１）画像プリントシステムの構成
図１は、本実施の形態における画像プリントシステムの全体構成の一例を示す図である。画像プリントシステムは、携帯電話機１００から送信されたメールに添付されたプリント対象ファイルを、インターネット４０に接続されたＭＦＰ１によりプリントするものである。
【００２１】
携帯電話機１００は、基地局４７（図中では基地局を一つのみ図示しているが、携帯電話機１００は、多数の基地局間でハンドオフ動作を繰り返しながら音声による通話、データ伝送等を行う。）、携帯電話ネットワーク（パケット交換網、ＩＰ網、インターネット網等）４６を介してメールを送受信することが可能な構成となっている。本実施の形態の携帯電話機１００は、例えば第３世代の携帯電話機であり、基地局４７と接続されたパケット交換網を経由してメールの送受信を行うものとする。携帯電話機１００は、例えばカメラ機能を備えており、ユーザにより入力されたメールアドレスに対して、カメラ機能で撮影された画像データのファイルをプリント対象ファイルとして添付したメールをＭＦＰ１に送信することができる。
【００２２】
携帯電話ネットワーク４６はゲートウェイ４５を介してインターネット４０と接続されており、携帯電話機１００からＭＦＰ１宛てに送信されたメールは、ゲートウェイ４５でインターネット４０に適したフォーマットに変換され、メールサーバ４１に蓄積される。なお、携帯電話機からのメールの送受信プロトコルは、回線業者により多少異なる点もあるが、本発明はいずれの方式にも適用することができる。本実施の携帯のＭＦＰ１は、定期的にメールサーバ４１の内容を探索しており、ＭＦＰ１宛てのメールが送信されていた場合には、メールサーバ４１から、ＰＯＰ３、ＩＭＡＰ４等のプロトコルに従って当該メールを取得することができる。
【００２３】
（２）ＭＦＰ１の構成
次に、ＭＦＰ１の構成について説明する。図２は、本実施の形態のＭＦＰ１の外観の一例を示す図である。ＭＦＰ１は、コピー、ネットワークプリンティング、スキャナ、ＦＡＸ、またはドキュメントサーバなどの機能を集約した画像形成装置である。複合機と呼ばれることもある。
【００２４】
図３は、本実施の形態のＭＦＰ１におけるハードウェア構成の一例を示す図である。ＭＦＰ１は、操作部１１、ディスプレイ部１２、スキャナ部１３、プリンタ部１４、通信インタフェース１６、ドキュメントフィーダ１７、給紙装置１８、トレイ１９（図２参照）、ＣＰＵ２０、ＲＡＭ２１、ＲＯＭ２２、およびデータ記憶部２３などによって構成される。
【００２５】
操作部１１は、数字、文字、および記号などを入力するための複数のキー、押下されたキーを認識するセンサ、および認識したキーを示す信号をＣＰＵ２０に送信する送信用回路などによって構成される。
【００２６】
ディスプレイ部１２は、ユーザに対してメッセージまたは指示を与えるための画面、ユーザが設定および処理内容を入力するための画面、およびＭＦＰ１で処理された結果を示す画面などを表示する。本実施の形態では、ディスプレイ部１２としてタッチパネルが用いられる。したがって、ディスプレイ部１２は、ユーザが指で触れたタッチパネル上の位置を検知し、検知結果を示す信号をＣＰＵ２０に送信する機能を備えている。
【００２７】
スキャナ部１３は、原稿に描かれている写真、文字、絵、図表などの画像を光電的に読み取って、デジタルの画像データ（ここでは、ＲＧＢまたはブラックの濃度を表す濃度データ）を生成する。ドキュメントフィーダ１７は、ＭＦＰ１の本体の上部に設けられており、１枚または複数枚の原稿をスキャナ部１３に順次送るために用いられる。
【００２８】
プリンタ部１４は、スキャナ部１３にて読み取られた画像、携帯電話機１００から送信されてきたメールに添付された画像データの画像などを、記録紙、フイルムなどの記録シートにプリントする。給紙装置１８は、ＭＦＰ１本体の下部に設けられており、プリント対象の画像に適した記録シートをプリンタ部１４に供給する。プリンタ部１４によって画像がプリントされた記録シートはトレイ１９に排出される。
【００２９】
通信インタフェース１６は、受信部１６１、送信部１６２等によって構成され、メールサーバ４２などの外部装置とデータのやり取りを行うための装置である。通信インタフェース１６として、例えばＮＩＣ（ネットワーク・インタフェース・カード）などが用いられる。
【００３０】
データ記憶部２３は、ハードディスク２３Ｈ、カードリーダライタ２３Ｒなどを有している。カードリーダライタ２３Ｒは、コンパクトフラッシュ（登録商標）、スマートメディア、ＳＤカードなどの各種メモリカード９１からデータを読み取り、またはメモリカード９１にデータを書き込むことができる。
【００３１】
（３）ＭＦＰ１の処理内容
以下、本実施の形態のＭＦＰ１の処理内容等について詳細に説明する。図４は、ＭＦＰ１の機能的構成の一例を示すブロック図である。同図に示される各ブロックの処理は、主としてＲＯＭ２２に格納されたプログラム、ハードディスク２３Ｈなどに格納され、ＲＡＭ２１にロードされたプログラムがＣＰＵ２０上で動作することにより実現される。なお、ＲＡＭ２１、ＲＯＭ２２としてフラッシュメモリなどの書き換え可能な不揮発性メモリを用いてもよい。また、処理の一部をＤＳＰ（デジタル・シグナル・プロセッサ）などの専用のハードウェアで実行するようにして、処理の高速化を図ることもできる。
【００３２】
ＭＦＰ１は、メール受信部２０１、タイマ２０２、メール受信指示入力部２０３、メール解析部２０４、一覧表示制御部２０５、選択入力受付部２０６、プリント対象ファイル取得部２０７、プリント制御部２０８、受信メール格納部２２１、プリント対象ファイル名格納部２２２、アドレス格納部２２３を備えている。受信メール格納部２２１、プリント対象ファイル名格納部２２２、アドレス格納部２２３は、例えばハードディスク２３Ｈに設けることができる。
【００３３】
メール受信部２０１は、ＣＰＵ２０に設けられたタイマ２０２により定期的なメールサーバ４１への問合せタイミングが検出された場合、若しくはメール受信指示入力部２０３としての操作部１１等を介するユーザからの指示入力があった場合に、メールサーバ４１にアクセスして自機宛のメールの探索を行う。メールサーバ４１に自機宛のメールが格納されていた場合、ＰＯＰ３、ＩＭＡＰ４等のプロトコルに従ってメールを取得し、例えばハードディスク２３Ｈに設けられた受信メール格納部２２１に格納する。
【００３４】
メール解析部２０４は、受信したメールを解析する。解析の結果、メールにプリント対象ファイルが添付されている場合には、プリント対象ファイルのファイル名を抽出し、プリント対象ファイル名格納部２２２へと格納する。図５は、プリント対象ファイル名格納部２２２の内容の一例を示す図である。同図に示されるように、プリント対象ファイル名格納部２２２には、ファイル名の他、メールの送信元のアドレス及びメールの送信日時が格納される。格納される情報はこれらに限定されず、例えば、ＲＦＣ８２２に規定されるMESSAGE−IDなどのヘッダ情報を保持するようにしてもよい。
【００３５】
また、メール解析部２０４は、新規な送信元からのメールであった場合に、送信元アドレスをアドレス格納部２２３に格納する。一覧表示制御部２０５は、プリント対象ファイル名格納部２２２に格納されたファイル名、アドレス格納部２２３に格納されたアドレスをディスプレイ部１２に一覧表示させる。ユーザは、操作部１１及びディスプレイ部１２としてのタッチパネルを介する選択入力により、一覧表示された中からファイル名、アドレスを選択することができる。選択入力受付部２０６は選択入力を受け付け、アドレスの選択の場合には選択されたアドレスを一覧表示制御部２０５へと送り、ファイル名の選択の場合には選択されたファイル名をプリント対象ファイル取得部２０７へ送る。
【００３６】
プリント対象ファイル取得部２０７は、選択入力受付部２０６を介して選択されたファイル名のプリント対象ファイルが添付されたメールからプリント対象ファイルを取得し、プリント制御部２０８に送る。プリント制御部２０８はプリンタ部１４を制御してプリント対象ファイルのプリント処理を行う。なお、前記したように、携帯電話機からのメール送信プロトコルは回線業者により多少異なるが、メールからのプリント対象ファイルの抽出は容易である。
【００３７】
図６は、ＭＦＰ１側のメール受信処理の内容を示すフローチャートである。メール受信処理では、メールサーバ４１への定期的な問合せタイミングとなるか（Ｓ１０１：ＹＥＳ）、メール受信指示入力部２０３等を介するユーザからの指示入力があった場合（Ｓ１０２：ＹＥＳ）、メールサーバ４１にアクセスして探索を行い（Ｓ１０３）、自機宛の受信メールがあった場合（Ｓ１０４：ＹＥＳ）、受信メールをメールサーバ４１からダウンロードとして、受信メール格納部２２１に格納する。そしてメール解析部２０４がメールの内容を解析する（Ｓ１０５）。
【００３８】
メール解析部２０４は、メールにファイルが添付されているか否かを解析し、受信したメールに添付ファイルが有る場合に（Ｓ１０６：ＹＥＳ）、ファイル名及びアドレスの抽出処理を行う（Ｓ１０７）。ファイル名及びアドレス抽出処理では、メール解析部２０４が、メールのヘッダ情報から添付ファイルのファイル名を抽出し、プリント対象ファイル名格納部２２２に格納する。また、メール解析部２０４がメールの送信元アドレスを抽出し、アドレス格納部２２３にまだ格納されていないアドレスであった場合に、アドレス格納部２２３に格納する。
【００３９】
（４）プリント制御処理の内容
次に、本実施の形態におけるプリント制御処理の内容について説明する。プリント制御処理では、上記のように送信されてきたメールに添付されたプリント対象ファイルの選択、及びプリント処理を行う。図７は、プリント制御処理の内容の一例について説明するためのフローチャートである。
【００４０】
プリント制御処理では、まず一覧表示制御部２０５がアドレス格納部２２３に格納されているアドレスを読み出し、ディスプレイ部１２にアドレスを一覧表示する（Ｓ２０１）。図８は、アドレスが一覧表示されたディスプレイ部１２の画面表示の一例を示す図である。ユーザは、一覧表示されたアドレスのいずれかを選択し（同図の例では、アドレス「k0123@dakamo.ne.jp」が選択されている。）、ＯＫボタン１２１が押下された場合に（Ｓ２０２：ＹＥＳ）、選択入力受付部２０６がアドレスの選択入力を受け付ける。
【００４１】
アドレスの選択は一覧表示制御部２０５へ送られる。一覧表示制御部２０５は、プリント対象ファイル名格納部２２２から、選択されたアドレスから送信されたメールに添付されたプリント対象ファイルのファイル名を検索し、ディスプレイ部１２に一覧表示する（Ｓ２０３）。図９は、ファイル名が一覧表示されたディスプレイ部１２の画面表示の一例を示す図である。
【００４２】
図８の場合と同様にユーザはファイル名を選択することができる。ＯＫボタン１２１が押下された場合に選択入力受付部２０６がファイル名の選択入力を受け付ける（Ｓ２０４：ＹＥＳ）。この際、選択されたファイル名に加えて送信日時がプリント対象ファイル取得部２０７に送られる。プリント対象ファイル取得部２０７は、メールアドレス及び送信日時をキーとして受信メール格納部２２１からメールを検索し（Ｓ２０５）、検索されたメールからプリント対象ファイルを取得する（Ｓ２０６）。そして、プリント制御部２０８がプリント対象ファイルのプリント処理を行う（Ｓ２０７）。
【００４３】
以上のように、本実施の形態のプリント制御によると、アドレス及びファイル名の選択入力を受け付け、選択されたファイル名のプリント対象ファイルについてプリント処理を行うので、特にメールの数が増加した場合に、自己のアドレスから送信されたメールに添付されたファイルを容易に検索することが可能となり、ユーザの使い勝手が向上する。なお、アドレスやメールを一画面に表示できない場合には、例えば図９に示したような「次画面」ボタン１２３、「前画面」ボタン（不図示）を表示したり、スクロールバーを表示したりするなどして対応することができる。さらに、本実施の形態では、プリント対象ファイルのファイル名を一覧表示する際に、メールからのプリント対象ファイルの抽出を行うことなく、メールからファイル名を抽出し、抽出されたファイル名を一覧表示するので、メールとプリント対象ファイルとを個別に管理する場合と比較して、ハードディスク等の記憶容量の増大を抑制することができる。
【００４４】
（変形例）
以上、本発明の実施の形態について説明したが、本発明の内容が上記実施の形態において説明された具体例によって限定されないことは勿論であり、例えば、以下のような変形例も考えられる。
【００４５】
（１）上記実施の形態では、送信元メールアドレスの指定を、操作部１１及びディスプレイ部１２を介して行うようにしたが、送信元が携帯電話機である場合などには、ＵＳＢケーブルを介して携帯電話機からメールアドレスを取得したり赤外線通信でメールアドレスを取得したりすることもできる。
【００４６】
（２）受信したメールが携帯電話機から送信されたメールか否かを判定し、携帯電話機から送信されたメールについてファイル名及びアドレスの抽出処理（図６のＳ１０７）を実行するようにしてもよい。携帯電話機からのメールであるか否かは、例えば、メールアドレスのドメイン名を参照して行うことが可能であるが、メール本文の記載に基づいて判定するようにしてもよい。メール本文や、題名を示すフィールド（Ｓｕｂｊｅｃｔフィールド）の記載に基づく場合、本発明を適用するメールであるか否かを直接的に記載するようにすれば、本発明を適用する意図のないメールについて以後の処理を省略することもできる。
【００４７】
（３）上記実施の形態では、送信元アドレスを一覧表示して選択入力を受け付ける構成としたが、操作部１１から直接アドレスを指定入力する構成としてもよい。この場合、入力されたアドレスが携帯電話機のアドレスでない場合に、入力を拒否するような構成としてもよい。携帯電話機のアドレスであるか否かは、例えばドメイン名を参照して判別することができる。
【００４８】
（４）上記実施の形態では、送信元アドレスを指定した場合にプリント対象ファイル名を一覧表示するようにしたが、アドレスを指定した場合に当該アドレスから送信されたメールに添付されたプリント対象ファイルを一括してプリント処理することもできる。アドレス名を指定入力する際、ファイル名の一覧を表示するか、一括プリント処理するかの指定入力を行うボタンをディスプレイ部１２に表示することもできる。また、プリント処理が終了した場合に受信メール格納部２２１から削除するか否かを指定するようにしてもよい。
【００４９】
（５）図１０に一例を示したような携帯電話番号とメールアドレスとの対応関係を保持するテーブルを備えておき、携帯電話機から発信者番号通知の電話の着信があった場合に送信元アドレスが入力された場合と同様の処理を実行するようにしてもよい。
【００５０】
（６）上記実施の形態では、本発明をＭＦＰ１に適用した場合について説明したが、上記に説明したような処理を実行するプログラムを、パーソナルコンピュータ等の情報処理装置にインストールして、当該情報処理装置上で本発明を実現することもできる。
【産業上の利用可能性】
【００５１】
本発明は、例えば、ＭＦＰ等の画像形成装置に適用することができる。
【図面の簡単な説明】
【００５２】
【図１】本発明の実施の形態における画像プリントシステムの全体構成の一例を示す図である。
【図２】ＭＦＰ１の外観の一例を示す図である。
【図３】ＭＦＰ１におけるハードウェア構成の一例を示す図である。
【図４】ＭＦＰ１の機能的構成の一例を示すブロック図である。
【図５】プリント対象ファイル名格納部２２２の内容の一例を示す図である。
【図６】ＭＦＰ１側のメール受信処理の内容を示すフローチャートである。
【図７】プリント制御処理の内容を示すフローチャートである。
【図８】アドレスが一覧表示されたディスプレイ部１２の画面表示の一例を示す図である。
【図９】ファイル名が一覧表示されたディスプレイ部１２の画面表示の一例を示す図である。
【図１０】携帯電話機のメールアドレスと電話番号との対応関係を格納するテーブルの内容の一例を示す図である。
【符号の説明】
【００５３】
１                        ＭＦＰ
１１                      操作部
１２                      ディスプレイ部
１３                      スキャナ部
１４                      プリンタ部
１６                      通信インタフェース
１６１                    受信部
１６２                    送信部
１７                      ドキュメントフィーダ
１８                      給紙装置
１９                      トレイ
２０                      ＣＰＵ
２１                      ＲＡＭ
２２                      ＲＯＭ
２３                      データ記憶部
２３Ｈ                    ハードディスクドライブ
２３Ｒ                    カードリーダライタ
４０                      インターネット
４１                      メールサーバ
４５                      ゲートウェイ
４６                      携帯電話ネットワーク（パケット交換網）
４７                      基地局
９１                      メモリカード
１００                    携帯電話機
２０１                    メール受信部
２０２                    タイマ
２０３                    メール受信指示入力部
２０４                    メール解析部
２０５                    一覧表示制御部
２０６                    選択入力受付部
２０７                    プリント対象ファイル取得部
２０８                    プリント制御部
２２１                    受信メール格納部
２２２                    プリント対象ファイル名格納部
２２３                    アドレス格納部
【図１】
2007111922.tif 000003
【図２】
2007111922.tif 000004
【図３】
2007111922.tif 000005
【図４】
2007111922.tif 000006
【図５】
2007111922.tif 000007
【図６】
2007111922.tif 000008
【図７】
2007111922.tif 000009
【図８】
2007111922.tif 000010
【図９】
2007111922.tif 000011
【図１０】
2007111922.tif 000012